(57)【要約】  【課題】ブロック製の塀や壁などを構築するのに適するコンクリートブロック並びにブロック積み構造に関し、施工作業の簡便化を図ると共に、上下左右の隣接するブロックの外側の隙間にモルタルを充填して確実に接合可能とする。  【解決手段】空洞つきブロックの上面が上凸部となり、下面は、前記上凸部が嵌入する凹溝となっているため、塀や壁などを施工する際に上下に積層した状態では、上側のブロック下面の凹溝に下側のブロック上凸部が嵌入するため、上下のブロック同士の位置合わせや積層が容易で、初心者でも容易にかつ正確にブロック積みできる。こうして上下に積層した状態では、前記凸部の高さが前記凹溝の深さより大きいために、その差に相当する隙間が前記凸部の両側にできるので、この隙間にモルタルを充填してモルタル接合できる。【選択図】図１
0003134512.tif 000002
【実用新案登録請求の範囲】
【請求項１】
平面形状が長方形状の空洞つきブロックの上面は、外周以外の主体部が上向きの上凸部となり、下面は、前記の上凸部が嵌入する凹溝となっていること、
前記の上凸部の高さが前記の凹溝の深さより大きいことを特徴とするコンクリートブロック。
【請求項２】
前記ブロックの水平方向に隣接する端面は、前記上凸部と対応する領域のみ、水平方向に突出する隣接凸部が形成されていることを特徴とする請求項１に記載のコンクリートブロック。
【請求項３】
積層塀の端部用のブロックは、端面全面が、前記隣接凸部よりも水平方向に突出した同一鉛直面となっていることを特徴とする請求項１または請求項２に記載のコンクリートブロック。
【請求項４】
積層塀の頂端用のブロックの上部は、前記の空洞に通じる、モルタル充填小孔以外が平坦な同一水平面となっていることを特徴とする請求項１、請求項２または請求項３に記載のコンクリートブロック。
【請求項５】
平面形状が長方形状の空洞つきブロックの上面は、外周以外の主体部が上向きの凸部となり、下面は、前記の凸部が嵌入する凹溝となっていて、前記凸部の高さが前記の凹溝の深さより大きいコンクリートブロックを積み重ねてあり、上下のブロック間において、前記凸部の両側に形成される隙間にモルタルを充填してなることを特徴とするブロック積み構造。
【請求項６】
積層された上下左右のブロックの上下の隣接凸部の間に形成されるトンネル状の横孔中にモルタルを充填してなることを特徴とする請求項５に記載のブロック積み構造。
【請求項７】
積層塀の端部のブロックは、端面全面が前記隣接凸部よりも水平方向に突出した同一鉛直面となっていることを特徴とする請求項５または請求項６に記載のブロック積み構造。
【請求項８】
積層塀の頂端用のブロックの上面は、前記の空洞に通じる、モルタル充填小孔にモルタルを充填することで、全面が同一水平面となっていることを特徴とする請求項５、請求項６または請求項７に記載のブロック積み構造。
【考案の詳細な説明】
【技術分野】
【０００１】
本考案は、ブロック製の塀や壁などを構築するのに適するコンクリートブロック並びにブロック積み構造に関し、施工作業の簡便化を図るものである。
【背景技術】
【０００２】
特開２０００−１４４９７６において、未熟な作業者でも容易に簡単かつ正確に組積みでき、かつ構造上安定した構造用ブロックが提案されている。その構成は、ソイルセメント、又はセメントと岩粉、土、砂若しくは砕石との混合物を成形した概ね直方体の構造用ブロック１で、その上面には、これを長手方向に２等分する左右領域の各中心位置に形成された左右２個の凸部２ａ、２ｂを、下面には、それぞれ一方の凸部と上下に対応する位置に形成された左右２個の凹部３ａ、３ｂを有する。凸部と凹部とは、上下に積み重ねたとき下側ブロックの凸部が隣接する上側ブロックの凹部に嵌合するように、互いに補完する形状を有する。その結果、ブロック間の接合面に従来のようなモルタルを用いることなく、各ブロックが水平及び鉛直方向に機械的にかつ自動的に位置決めされ、技術力の低い作業者であっても、住宅等建築物及び擁壁等の構造物の所望の構造を正確にかつ効率よく低コストで建設することができる。
【特許文献１】特開２０００−１４４９７６
【考案の開示】
【考案が解決しようとする課題】
【０００３】
このような構成は、凹凸の嵌合によって容易に相互の位置決めができるので、未熟者でも積み上げ作業ができるという利点を奏する。しかしながら、棒鋼を挿通した鉛直方向の空洞に水を注入した後にセメントモルタルを充填して固めるため、上下の隣接するコンクリートブロック間のモルタル接合が不十分となる。特に、すべての鉛直方向空洞に鉄筋を挿通してセメントモルタルを充填するとは限らないため、モルタルを充填しない鉛直方向空洞においては、接合力が決定的に不足するという問題が発生する。本考案の技術的課題は、このような問題に着目し、上下方向の隣接するブロック間もモルタルを充填して確実に接合できるコンクリートブロック並びにブロック積み構造を実現することにある。
【課題を解決するための手段】
【０００４】
本考案の技術的課題は次のような手段によって解決される。請求項１は、平面形状が長方形状の空洞つきブロックの上面は、外周以外の主体部が上向きの凸部となり、下面は、前記の凸部が嵌入する凹溝となっていること、前記の凸部の高さが前記の凹溝の深さより大きいことを特徴とするコンクリートブロックである。このように、平面形状が長方形状の空洞つきブロックの上面が上凸部となり、下面は、前記上凸部が嵌入する凹溝となっているため、塀や壁などを施工する際に上下に積層した状態では、上側のブロック下面の凹溝に下側のブロック上面の凸部が嵌入するため、上下のブロック同士の位置合わせや積層が容易で、初心者でも容易にかつ正確にブロック積みできる。こうして上下に積層した状態では、前記凸部の高さが前記凹溝の深さより大きいために、その差に相当する隙間が前記凸部の両側にできるので、この隙間にモルタルを充填することによって、上下のブロック間がモルタルで接合される。鉛直方向の空洞には、必要に応じて鉄筋を挿通すると共にモルタルを充填することは言うまでもない。
【０００５】
請求項２は、前記ブロックの水平方向に隣接する端面は、前記上凸部と対応する領域のみ、水平方向に突出する隣接凸部が形成されていることを特徴とする請求項１に記載のコンクリートブロックである。このように、前記ブロックの水平方向に隣接する端面は、前記上凸部と対応する領域のみ、水平方向に突出する隣接凸部が形成されているため、隣接する隣接凸部同士の上にモルタルを充填することによって、隣接する上下左右のブロック同士も、隣接する上凸部間でモルタル接合される。しかも、隣接凸部の両外側にも、上下方向の隙間が隣接ブロック間にできるので、この縦隙間にもモルタル充填することで、各ブロックの上下左右全周がモルタル接合される。
【０００６】
請求項３は、積層塀の端部用のブロックは、端面全面が、前記隣接凸部よりも水平方向に突出した同一鉛直面となっていることを特徴とする請求項１または請求項２に記載のコンクリートブロックである。このように、積層塀の端部用のブロックは、端面全面が、前記隣接凸部よりも水平方向に突出した同一鉛直面となっているため、塀や壁などの端面全面が同一鉛直面に揃うので、端部の仕上がりが良好となる。
【０００７】
請求項４は、積層塀の頂端のブロックの上面は、前記の空洞に通じる、モルタル充填小孔以外が同一水平面となっていることを特徴とする請求項１、請求項２または請求項３に記載のコンクリートブロックである。このように、積層塀の頂端用のブロックは、前記の空洞に通じる、モルタル充填小孔以外が同一水平面となっているので、凸部は存在せず、しかもモルタル充填後に鉛直方向の空洞もモルタル充填小孔も見えないので、美しい仕上がりとなる。
【０００８】
請求項５は、平面形状が長方形状の空洞つきブロックの上面は、外周以外の主体部が上向きの凸部となり、下面は、前記の凸部が嵌入する凹溝となっていて、前記凸部の高さが前記の凹溝の深さより大きいコンクリートブロックを積み重ねてあり、上下のブロック間において、前記凸部の両側に形成される隙間にモルタルを充填してなることを特徴とするブロック積み構造である。このように、塀や壁などとしてブロックを積層する際は、平面形状が長方形状の空洞つきブロックの上面は、外周以外の主体部が上向きの凸部となり、下面は、前記の凸部が嵌入する凹溝となっているため、上下のブロックの凹凸同士が互いに嵌入するので、上下のブロック同士の位置合わせが容易で、かつ互いに強固に噛み合うから、初心者でも容易にかつ正確にブロック積みできる。こうして上下に積層した状態では、前記凸部の高さが前記凹溝の深さより大きいために、上下のブロック間において、凹凸の差に相当する隙間が前記凸部の両側にできるので、この隙間に外側からモルタルを充填してあることで、上下のブロック間が外側でもモルタル接合される。
【０００９】
請求項６は、積層された上下左右のブロックの上下の隣接凸部の間に形成されるトンネル状の横孔中にモルタルを充填してなることを特徴とする請求項５に記載のブロック積み構造である。このように、積層された上下左右のブロックの上下の隣接凸部の間に形成されるトンネル状の横孔中にモルタルを充填してあるため、水平方向と上下に隣接する４個のブロック同士も隣接凸部でモルタル接合される。
【００１０】
請求項７は、積層塀の端部のブロックは、端面全面が前記隣接凸部よりも水平方向に突出した同一鉛直面となっていることを特徴とする請求項５または請求項６に記載のコンクリートブロックである。このように、積層塀の端部のブロックは、端面全面が前記隣接凸部よりも水平方向に突出した同一鉛直面となっているため、塀や壁などの端面全面が同一鉛直面に揃うので、端部の仕上がりが良好となる。
【００１１】
請求項８は、積層塀の頂端用のブロックの上面は、前記の空洞に通じる、モルタル充填小孔にモルタルを充填することで、全面が同一水平面となっていることを特徴とする請求項５、請求項６または請求項７に記載のコンクリートブロックである。このように、積層塀の頂端のブロックは、前記の空洞に通じる、モルタル充填小孔にモルタルを充填することで、全面が同一水平面となっているため、出来上がった塀や壁などの頂端には上部凸部が存在せず、しかも鉛直方向の空洞もモルタル充填小孔も見えないので、美しい仕上がりとなる。
【考案の効果】
【００１２】
請求項１のように、空洞つきブロックの上面は上向きの凸部となり、下面は、前記の凸部が嵌入する凹溝となっているため、塀や壁などを施工する際に上下に積層した状態では、上側のブロック下面の凹溝に下側のブロックの上凸部が嵌入するため、上下のブロック同士の位置合わせや積層が容易で、初心者でも容易にかつ正確にブロック積みできる。こうして上下に積層した状態では、前記凸部の高さが前記凹溝の深さより大きいために、その差に相当する隙間が前記凸部の両側にできるので、この隙間にモルタルを充填することによって、上下のブロック間がモルタルで接合される。
【００１３】
請求項２のように、前記ブロックの水平方向に隣接する端面は、前記上凸部と対応する領域のみ、水平方向に突出する隣接凸部が形成されているため、隣接する隣接凸部同士の上にモルタルを充填することによって、隣接する上下左右のブロック同士も、上凸部間でモルタル接合される。しかも、隣接凸部の両外側にも、上下方向の隙間が隣接ブロック間にできるので、この縦隙間にもモルタル充填することで、各ブロックの上下左右全周がモルタル接合される。
【００１４】
請求項３のように、積層塀の端部用のブロックは、端面全面が、前記隣接凸部よりも水平方向に突出した同一鉛直面となっているため、塀や壁などの端面全面が同一鉛直面に揃うので、端部の仕上がりが良好となる。
【００１５】
請求項４のように、積層塀の頂端用のブロックは、前記の空洞に通じる、モルタル充填小孔以外が同一水平面となっているので、凸部は存在せず、しかもモルタル充填後に鉛直方向の空洞もモルタル充填小孔も見えないので、美しい仕上がりとなる。
【００１６】
請求項５のように、塀や壁などとしてブロックを積層する際は、空洞つきブロックの上面は上凸部となり、下面は、前記の上凸部が嵌入する凹溝となっているため、上下のブロックの凹凸同士が互いに嵌入するので、上下のブロック同士の位置合わせが容易で、かつ互いに強固に噛み合うから、初心者でも容易にかつ正確にブロック積みできる。こうして上下に積層した状態では、前記凸部の高さが前記凹溝の深さより大きいために、上下のブロック間において、凹凸の差に相当する隙間が前記凸部の両側にできるので、この隙間に外側からモルタルを充填してあることで、上下のブロック間が外側でもモルタル接合される。
【００１７】
請求項６のように、積層された上下左右のブロックの上下の隣接凸部の間に形成されるトンネル状の横孔中にモルタルを充填してあるため、水平方向と上下に隣接する４個のブロック同士も隣接凸部でモルタル接合される。しかも、隣接凸部の両外側にも、上下方向の隙間が隣接ブロック間にできるので、この縦隙間にもモルタル充填することで、各ブロックの上下左右全周がモルタル接合される。
【００１８】
請求項７のように、積層塀の端部のブロックは、端面全面が前記隣接凸部よりも水平方向に突出した同一鉛直面となっているため、塀や壁などの端面全面が同一鉛直面に揃うので、端部の仕上がりが良好となる。
【００１９】
請求項８のように、積層塀の頂端のブロックは、前記の空洞に通じる、モルタル充填小孔にモルタルを充填することで、全面が同一水平面となっているため、出来上がった塀や壁などの頂端には上部凸部が存在せず、しかも鉛直方向の空洞もモルタル充填小孔も見えないので、美しい仕上がりとなる。
【考案を実施するための最良の形態】
【００２０】
次に本考案によるコンクリートブロック並びにブロック積み構造が実際上どのように具体化されるか実施形態を説明する。図１は、本考案による積み上げ施工が容易なコンクリートブロックの全容を示す斜視図である。本考案のコンクリートブロックＢは、両側面に水平方向の凸面１、２を有し、前後には水平方向に多少突出した隣接凸部３、４を有している。そして、これら４つの凸面で囲まれたブロック本体部は、上方向に突出して凸部５となっており、この本体部に鉛直方向の空洞６が２〜３個形成されている。このブロックＢの下面は、下層のブロックＢの前記上凸部５が嵌入する凹溝７が形成されている。
【００２１】
図２はブロックＢの側面図と平面図で、図３はブロックＢの正面図と図２のＡ−Ａ断面図である。前記の上凸部５の幅が例えば９．０ｃｍとすると、前後の隣接凸部３、４の突出寸法は例えば０．５ｃｍであり、両側面の凸部１、２の突出寸法は例えば３．０ｃｍである。また、上凸部５の高さが２．０ｃｍであるのに対し、下面の凹溝７の深さは例えば１．０ｃｍである。したがって、図４のように、このブロックＢを２段以上積層し、上凸部５が、上段のブロックＢの下面の凹溝７に嵌入した状態では、上凸部５の突出寸法と凹溝７の深さ寸法との差の寸法の隙間８が生じる。ブロックＢを積層した状態において、この隙間８に側方からモルタルを充填する。充填器を使用することで、容易にかつ確実に充填できる。
【００２２】
図５のように積層した状態では、隣接する左右のブロックＢ・Ｂの互いに隣接する上凸部５・５間の隙間９が、左右の隣接凸部３、４の上面と上段の隣接凸部３、４の下面との間にトンネル状に形成される。このように、隣接する上下左右の４ブロックＢ…の間では、上下の隣接凸部３、４の間にトンネル状の横孔９が出来ることになり、この横孔９にも充填器でモルタルを充填する。
その後に、左右の隣接ブロックＢ・Ｂ間の上下方向の隙間１３にもモルタルを充填する。つまり、図１のように、左右の隣接ブロックＢ・Ｂの隣接凸部３、４同士は接しても、両側の凸面１・１間、２・２間に上下方向の隙間１３が生じる。この１ｃｍの隙間１３にもモルタルを充填すると、各ブロックＢ…は、その上下左右において、上下左右の隣接ブロックＢ…と隙間８・１３においてモルタル接合されるので、堅牢なブロック塀や壁が施工可能となる。
【００２３】
図５は複数のブロックＢ…を列状に配置すると共に複数段積層した状態であり、各ブロックＢの上面の凸部５がその上の段のブロックＢの下面の凹溝７に嵌入するように積み上げるだけで足りるので、従来のような水糸を張って位置合わせする手間が省ける。したがって、未熟者でも容易にかつ正確に積み上げることができる。こうして所要数のブロックＢを積層してから、両側の隙間８やトンネル状横孔９にモルタルを充填するだけであるから、全体的に、熟練者でなくても、容易に能率的にブロック積みできる。なお、図５において、各ブロックの鉛直方向の空洞６に、補強用の鉄筋などを挿入すると共にモルタルを充填することは言うまでもない。
【００２４】
図６、図７は、塀などを積層する際の端部用のブロックＢ１である。図６（１）のように、端部用のブロックＢ１の隣接ブロックＢ側の端部には、前記のブロックＢと違って、一端のみ水平方向の隣接凸部３（又は４）が形成されている。他方の端部すなわち終端側は、ブロックＢ１の端面全面すなわち全幅（１５ｃｍ）が水平方向に突出し、同一鉛直面となっている。しかも、前記隣接凸部３、４よりも水平方向の突出量が大きい。
【００２５】
図７（１）は、この端部用ブロックＢ１の側面図、（２）は図６のＢ−Ｂ断面図である。この断面図からも明らかなように、前記の全面凸部１０の下端には凹溝７は形成されていない。図６（２）は、この端部用ブロックＢ１を上下反転した状態であり、凹溝７の左右の土手部７１、７２と凹溝７の終端土手７３が連続している。図６（３）は、（１）図の端部用ブロックＢ１を前後反転して、全面凸部１０側から見た斜視図である。塀や壁の端部では、このような端部用ブロックＢ１を積層するため、端面にはブロック前後の隣接凸部３、４は現れず、全面が同一鉛直面にそろうので、奇麗な仕上がりとなる。
【００２６】
図８は頂端用のブロックＢ２の斜視図、図９は、頂端用のブロックＢ２の側面図とＣ−Ｃ断面図である。頂端用ブロックＢ２は、図１のようなブロックＢにおける上凸部５は不必要である。したがって、図９（２）からも明らかなように、上凸部５の頂端の位置まで、ブロックＢ２全体が延長している。そして、鉛直方向の空洞６に通じる小孔１１を開けてあるので、この小孔１１から、空洞６中にモルタルを充填できる。したがって、このモルタル充填小孔１１以外は平坦な同一水平面１２となっている。
【００２７】
図５のようにブロック積みする際に、充填小孔１１からモルタルを充填すると、鉛直方向の空洞６中にもモルタルが充填される。そして、充填小孔１１の頂面までモルタルを充填するため、完成状態では、積層塀の頂面の全面が同一水平面となって、美しい仕上がりとなる。
【００２８】
この頂端用ブロックＢ２が、塀や壁などの端部の場合は、ブロックＢ２の前後の隣接凸部３（又は４）と反対側には、図６、７の端部用ブロックＢ１と同様に全面凸部１０となっている。したがって、全面凸部１０の下端は、図７の場合と同様に、図８（１）（２）のように、凹溝７の左右の土手部７１、７２と凹溝７の終端土手７３が連続している。この頂端用ブロックＢ２を、図６、７の端部ブロックＢ１の上に積層すると、端面全面が頂端まで同一鉛直面に揃い、美しい仕上がりとなる。
【００２９】
頂端用ブロックＢ２が、端部以外に用いる場合は、図８（３）のように、凹溝７の終端土手７３が存在しない凹溝７となる。しかも、隣接凸部３、４は、ブロックＢ２の前後両端に有している。結局、図２、３と同様な端面構成となる。以上のブロックＢ、Ｂ１、Ｂ２において、端部のブロック以外は、凹溝７の前後両端が開いているので、下段のブロックの上凸部５の上で容易に前後方向にスライドできる。その結果、図５のような積み方に限定されることはなく、各段ごとに左右に１／２ブロック分ずつずらして、交互に千鳥状に積むことも可能である。この場合、１段おきに塀の端部に突出して邪魔になるが、図６〜図９の端部ブロックの隣接凸部３（又は４）側を１／２ブロック分だけ切除するだけで、容易に対応できる。
【産業上の利用可能性】
【００３０】
以上のように、本考案によると、空洞つきブロックの上面は上凸部となり、下面は凹溝となっていると共に、前記上凸部の高さが前記凹溝の深さより大きいため、上下の隣接するブロック間の両側の隙間に外側からモルタルを充填して確実に接合でき、素人でも容易にかつ確実に各ブロックを位置決めし、塀などを施工できる。なお、以上の実施形態におけるブロックの各方向の寸法は一例であって、実施化に際しては、状況に応じて他の寸法も採用可能である。
【図面の簡単な説明】
【００３１】
【図１】本考案によるコンクリートブロックＢの全容を示す斜視図である。
【図２】ブロックＢの側面図と平面図である。
【図３】ブロックＢの正面図と図２のＡ−Ａ断面図である。
【図４】ブロックＢを２段積層した状態である。
【図５】複数のブロックＢを塀状に複数段積層した状態である。
【図６】塀などの端部用のブロックＢ１を示す各方向の斜視図である。
【図７】図６の端部用ブロックＢ１の側面図と縦断面図である。
【図８】頂端用のブロックＢ２の各方向の斜視図である。
【図９】頂端用ブロックＢ２の側面図とＣ−Ｃ断面図である。
【符号の説明】
【００３２】
Ｂ  コンクリートブロック
Ｂ１  端部用のブロック
Ｂ２  頂端用ブロック
１・２  両側の水平方向の凸面
３・４  前後の水平方向凸面
５  上面の凸部
６  空洞
７  溝
８  隙間
９  トンネル状の横孔
１０  全面凸部
１１  モルタル充填小孔
１２  同一水平面
１３  上下方向隙間
【図１】
0003134512.tif 000003
【図２】
0003134512.tif 000004
【図３】
0003134512.tif 000005
【図４】
0003134512.tif 000006
【図５】
0003134512.tif 000007
【図６】
0003134512.tif 000008
【図７】
0003134512.tif 000009
【図８】
0003134512.tif 000010
【図９】
0003134512.tif 000011